(57)【要約】      （修正有）【課題】シャボン玉玩具を用いて、子供たちがシャボン玉を連続的に飛ばす遊びにおいて、夕暮れ時、または周囲が暗くなってもシャボン玉の輝く美しさを見る事が出来るシャボン玉玩具を提供する。【解決手段】シャボン玉玩具１のシャボン玉の吹き出口３を備えた吹き出し管２の部分に電源を電池としたＬＥＤ光源（ＬＥＤ電球など）、またはライトを取り付けることで、吹き出し口の前方に連続的に飛ぶシャボン玉を照らすことができる構成とする。【選択図】図４
0003183231.tif 000002
【実用新案登録請求の範囲】
【請求項１】
電源を電池とした光源を吹き出し管周縁に取り付けて、吹き出し管の周囲前方を照射できるように設けたことを特徴とするシャボン玉玩具。
【請求項２】
電源を電池としたライトを一台、または複数台吹き出し管の側面に取り付けて、吹き出し管の周囲前方を照射できるように設けたことを特徴とするシャボン玉玩具。
【請求項３】
前記ライトを一台、または複数台を吹き出し管の側面に着脱できるように設けたことを特徴とする請求項２記載のシャボン玉玩具。
【考案の詳細な説明】
【技術分野】
【０００１】
本考案は、夕暮れ、または暗いところで、吹き出し口よりシャボン玉を空気中に飛ばすと、吹き出し部に設けたライトの光により輝き美しくできるシャボン玉玩具に関するものでる。
【背景技術】
【０００２】
従来、シャボン玉玩具は吹き出し口よりシャボン玉を連続的に飛ばすことで美しさを楽しむことであるが、夕暮れ時、または周囲が暗くなることでシャボン玉の輝きが見ることができず、飛ばすことをあきらめるか、照明の明るさをもとめることがある。
【０００３】
そこで、シャボン玉発生玩具でさまざまなものが開発、考案されている。
シャボン玉発生器の殻体と一体に凹入形成された第一凹口、第二凹口と図形フィルム、凸レンズ外蓋、及び発光装置が設置されている。第一凹口と第二凹口とはその間の距離が短く発光装置による照射距離が短縮されている。
よって、第二凹口は、板バネをもうけて、板バネが押し圧されると電源が供給され内蔵のランプが第二凹口の内部方向に発光し、第一凹口内部のフィルムを照射し、凸レンズ外蓋によってフィルム画像は拡大表示されるシャボン玉玩具がある（例えば特許文献１参照）
【０００４】
空気中にシャボン玉を浮かすシャボン玉発生器と屋内で冷気で氷化したシャボン玉を粉砕する風を起こすファンとから成るボタン雪発生装置を備え、粉砕したことにより氷の薄片のボタン雪を作ることが出来る。またそのシャボン玉液に蛍光塗料を混入しておき、その薄片のボタン雪にブラックライトを照射することにより、蛍光を発光させる装置がある（例えば特許文献２参照）。
【先行技術文献】
【特許文献】
【０００５】
【特許文献１】特開２００１−３００１５２
【特許文献２】特開Ｈ０７−１６７５４１
【考案の概要】
【考案が解決しようとする課題】
【０００６】
しかし、特許文献１の発明のランプを内臓したシャボン玉玩具は、シャボン玉を大気中に連続的に飛ばすことにおいては異なる玩具である。
【０００７】
また、特許文献２の発明においては、氷の薄片のボタン雪シャボン玉を空中に飛ばした状態を他の位置よりライト照明にて照射することであるが、これらのシステムの設置は簡単ではない、まして子供向けの通常のシャボン玉玩具で他のライトで照射をおこなうことには容易ではないものである。
【課題を解決するための手段】
【０００８】
上記の目的を達成すため本考案に係るライト付シャボン玉玩具は幼い子供でも夕暮れ時や暗いところでも容易に美しいシャボン玉を連続的に飛ばすことが出来る玩具を提供する。
【０００９】
上述した課題を解決するために、本考案は電源を電池とした光源を吹き出し管周縁に取り付けて、吹き出し管の周囲前方を照射できるように設けたことを特徴とする。
【００１０】
また、電源を電池としたライトを一台、または複数台吹き出し管の側面に取り付けて、吹き出し管の周囲前方を照射できるように設けたことを特徴とする。
【００１１】
また、前記ライトを一台、または複数台を吹き出し管の側面に着脱できるように設けたことを特徴とする。
【考案の効果】
【００１２】
以上述べたごとく本考案によれば、夕暮れ時、夜、または暗い場所でシャボン玉飛ばしの遊びにおいて、吹き出し管に設けた光源、またはライトの電源をオンにする、よって吹き出し口周囲前方を照射した状態でシャボン玉を連続的に飛ばすと、その光により空気中に舞うシャボン玉は美しく輝く状況は子供たちを喜ばすことができるものである。
【００１３】
また、ライト装置に紫外線を照射する光源と、蛍光剤の混入のシャボン玉発泡液を用いることで、空気中に舞うシャボン玉はより一層色合いをまして輝くものである。
【００１４】
また、電源の電池を交換するだけで長く利用でき、安価で楽しい玩具である。
【図面の簡単な説明】
【００１５】
【図１】本考案の第一実施例を示す側面図である。
【図２】同第一実施例の吹出し口より見た正面図である。
【図３】同第一実施例のライト装置の回路図で、Ａの回路図とＢの回路図を示したものである。
【図４】本考案の第二実施例を示す側面図である。
【図５】同第二実施例の吹き出し口より見た正面図である。
【図６】同第二実施例の吹き口より見た背面図である。
【図７】本考案の第三実施例において、シャボン玉玩具からライト本体の吸着状態より離脱した側面図である。
【図８】同第三実施例でライトをシャボン玉玩具の吹出し管の側面に吸着した状態を示す側面図である。
【図９】同第三実施例のライト一体の底面より見た拡大斜視図である。
【図１０】同第三実施例はライトをスライドしてシャボン玉玩具に装着する状態の側面図である。
【図１１】同第三実施例の図10の被係止部と係止部の要部拡大斜視図である。
【考案を実施するための形態】
【００１６】
本考案の実施の形態について図面を参照して説明する。
【００１７】
本考案の第一実施例のシャボン玉玩具の形態を図１、図２、及び図３を参照して説明する。
図１はシャボン玉玩具本体の吹出し管に光源装置とスイッチを備えた電源装置を設けた側面図である。
図２は吹出し口と光源装置の前面を見た正面図である。
図３は第一実施例における照明装置の回路図で、Ａの回路図の光源を従来の電球を用いた回路、Ｂの回路図は光源を省エネであるＬＨＤ（発光ダイオード）を用いた回路である。
図に示すごとく、１はシャボン玉玩具本体である、２は吹出し管で、吹出し管２の一端に４の吹き口を備えて、３は吹出し口である、吹出し口３と外周枠７とともにシャボン玉用発泡液を付着させて、吹き口４より空気を送り込むことで、吹出し口３より連続的にシャボン玉が出るように設けられている。
５はシャボン玉液を吸い込まないようにする安全装置の通気孔である。
【００１８】
また、連続的に飛ぶシャボン玉を照らすために、照明装置をシャボン玉玩具１に設ける。
ここで、８は光源で電球Ｌ、または発光ダイオードＬＥＤを用いて光源ケース内に設ける、また、光源ケース９と光源に電力を供給する電池ＥとスイッチＳＷを備えた電源ケース11を吹出し管２の側面に設ける。
14は吹出し管２に電池ケース11を取り付けるための台座である、12は光源８に電源供給するためのケーブルである。
10は光源８の光を効率よく前面に照射するための反射板である、13は湿気、又は水滴などを防ぐための前面カバーである。
【００１９】
したがって、上記の構成により本考案の第一実施例のシャボン玉玩具において、夕暮れ時、あるいは暗いところでシャボン玉遊びをするとき、スイッチＳＷをオンにして光源８である電球、又はＬＥＤを点灯する。
点灯することでシャボン玉玩具１の前面の全体が照らされた状態で、吹出し口３と外周枠７の部分にシャボン玉用発泡液を付着させて、吹口４より空気を送り込むことで、空気の圧力により吹出し口３からシャボン玉は連続的に多数空気中に舞うとき、光源８の光により輝き、美しく見えることで、暗いところにおいても楽しく遊ぶことができるものである。
また、光源に紫外線を発するＬＥＤを用いることで、蛍光材混入のシャボン玉発泡液のシャボン玉に照射することで、いっそう輝きの美しさを表すことができる。
【００２０】
本考案の第二実施例のシャボン玉玩具の形態を図４、図５、及び図６を参照して説明する。
図４は本考案の第二実施例を示す側面図でシャボン玉玩具の吹出し管側面に電池式のライト（小型懐中電灯）を二台設けた図である。
図５は同第二実施例の吹き出し口より見た前面図である、図６は同第二実施例の吹き口より見た背面図である。
図に示すごとく、１はシャボン玉玩具本体である、２は吹出し管で、吹出し管２の一端に４の吹き口を備えて、３は吹出し口である、吹出し口３と外周枠７とともにシャボン玉用発泡液を付着して、吹き口４より空気を送り込むことで、吹出し口３より連続的にシャボン玉が出るように設けられている。
５はシャボン玉液を吸い込まないようにする安全装置の通気孔である。
【００２１】
また、シャボン玉玩具１の吹出し管２の側面にライト15を２台設ける。ライト15のライト筒状部16の側面と吹出し管２の側面に台座14を設けて、固定して取り付ける。
また、10は光源８の光を効率よく前面に照射するための反射板である、17はレンズ、６はライトの電源スイッチである。
【００２２】
したがって、前記と同様にシャボン玉玩具において、夕暮れ時、あるいは暗いところでシャボン玉遊びをするとき、ライト15のスイッチＳＷをオンにしてライト15の内臓光源８である電球、又はＬＥＤを点灯する。
点灯することでシャボン玉玩具１の前面の全体が照らされた状態で、吹出し口３と外周枠７の部分にシャボン玉用発泡液を付着させて、吹口４より空気を送り込むことで、空気の圧力により吹出し口３からシャボン玉は連続的に多数空気中に舞うとき、光源８の光により輝き、美しく見えることで、暗いところにおいても楽しく遊ぶことができるものである。
また、光源に紫外線を発するＬＥＤを用いることで、蛍光材混入のシャボン玉発泡液のシャボン玉に照射することで輝きの美しさを表すことができる。
【００２３】
本考案の第三実施例のシャボン玉玩具１の形態を図７、図８、及び図９を参照して説明する。
図７はライトの側面に支持部を設けて、支持部の底面に磁石を設けたライト一体と、シャボン玉玩具の吹出し管の側面に台座を設ける、台座表面に鉄板を設けた状態の側面図である。
図８は磁石を設けたライトとシャボン玉玩具の吹出し管部の側面の台座を設ける、台座表面に鉄板を設けて、磁石付ライトを吸着した一体の側面図である。
図９はライトの底面より見た拡大斜視図である。
図に示すごとく、１はシャボン玉玩具本体である、２は吹出し管で、吹出し管２の一端に４の吹き口を備える。
図７、及び図８に示す、吹出し管２側面に鉄板を付けた鉄板付台座22を設ける。
３は吹出し口である、吹出し口３と外周枠７とともにシャボン玉用発泡液を付着して、吹き口４より空気を送り込むことで、吹出し口３より連続的にシャボン玉が出るように設けられている。
５はシャボン玉液を吸い込まないようにする安全装置の通気孔である。
【００２４】
また、ライト15の筒状部16に支持台20を設けて、19は磁石である、磁石19は支持台20の底面に設けて、シャボン玉玩具１の吹出し管２の側面に設けた鉄板付台座22に吸着して、シャボン玉玩具１に装着することができる。
また、反射板10を備えて、17はライト15の光源８のレンズである。
６はライトの電源スイッチである。
【００２５】
また、シャボン玉玩具１にライト15の装着として、他の形態を図11、及び図12を参照して説明する。
図10第三実施例はライトをスライドしてシャボン玉玩具に装着する状態の側面図である。
図11は図10の被係止部と係止部の要部拡大斜視図である。
図よりシャボン玉玩具１の吹出し管２の側面に被装着付台座23を設ける、またライト15のライト筒状部16に装着部26を備えたライト支持部25を設けて、被装着付台座23の被装着部24に装着部26をスライドして装入する状態の側面図である。
ここで、被装着台座24は凹形の断面の台座である、凹型の上部内側の両側に溝を設ける。
また装着部26を備えたライト支持部25の断面形状は凸状である。
よって、ライト支持部25の凸状の凹状にスライドして差し入れてシャボン玉玩具１に装着するものである。
【００２６】
したがって、シャボン玉玩具１にライト15を図７、図８、及び図９、また図10、及び図11に示すように装着する。
よって、夕暮れ時、あるいは暗いところでシャボン玉遊びをするとき、シャボン玉玩具１に装着したライト15のスイッチＳＷをオンにしてライト15の内臓の光源８である電球、又はＬＥＤを点灯する。
点灯することでシャボン玉玩具１の前面の全体が照らされた状態で、吹出し口３と外周枠７の部分にシャボン玉用発泡液を付着させて、吹口４より空気を送り込むことで、空気の圧力により吹出し口３からシャボン玉は連続的に多数空気中に舞うとき、光源８の光により輝き、美しく見えることで、暗いところにおいても楽しく遊ぶことができるものである。
また、光源に紫外線を発するＬＥＤを用いることで、蛍光材混入のシャボン玉発泡液のシャボン玉に照射することで輝きの美しさを表すことができる。
【００２７】
なお、シャボン玉玩具１の前面を照射において、ライト15を複数台設けると、より一層明るく照射できることでシャボン玉の輝きを増すことができる。
【符号の説明】
【００２８】
１はシャボン玉玩具
２は吹出し管
３は吹出し口
４は吹き口
５は通気孔
６はスイッチツマミ
７は外周枠
８は光源
９は光源ケース
１０は反射板
１１は電源ケース
１２は電源ケーブル
１３は前面カバー
１４は台座
１５はライト
１６はライト筒状部
１７は照明前面レンズ
１９は磁石
２０は支持台
２１は鉄板
２２は鉄板付台座
２３は被装着付台座
２４は被装着部
２５はライト支持部
２６は装着部
Ｅは電池
ＳＷはスイッチ
Ｌ、L1、L2、L3、L4は電球
ＬＥＤ、LED1、LED2、LED3、LED4は発光ダイオード
【図１】
0003183231.tif 000003
【図２】
0003183231.tif 000004
【図３】
0003183231.tif 000005
【図４】
0003183231.tif 000006
【図５】
0003183231.tif 000007
【図６】
0003183231.tif 000008
【図７】
0003183231.tif 000009
【図８】
0003183231.tif 000010
【図９】
0003183231.tif 000011
【図１０】
0003183231.tif 000012
【図１１】
0003183231.tif 000013